(57)【要約】      （修正有）【課題】複数本セット包装されたボトル容器の側方に追加的に１本のボトル容器を包装するためのボトル容器包装具を提供する。【解決手段】ボトル容器包装具は、複数本セット包装されたボトル３の側方に１本のボトル５を追加して包装するためのボトル包装具であって、前記追加するボトルをくるむこのできる縦長シートの一側に前記複数本セット包装されたボトル３のボトルネックに挿通される基側ボトルネック挿通孔２１ａが設けられ、他側に他側ボトルネック挿通孔２１ｂが設けられ、前記他側ボトルネック挿通孔２１ｂに、追加するボトル５のボトルネックと複数本セット包装されたボトル３のボトルネックとが挿通されるものとして構成する。【選択図】図２
0003148580.tif 000002
【実用新案登録請求の範囲】
【請求項１】
複数本セット包装されたボトルの側方に１本のボトルを追加して包装するためのボトル包装具であって、
前記追加するボトルをくるむことのできる縦長シートの一側に前記複数本セット包装されたボトルのボトルネックに挿通される基側ボトルネック挿通孔が設けられ、他側に他側ボトルネック挿通孔が設けられ、
前記他側ボトルネック挿通孔に、追加するボトルのボトルネックと複数本セット包装されたボトルのボトルネックとが挿通されるものとした、
ボトル包装具。
【請求項２】
他側ボトルネック挿通孔は、追加するボトルのボトルネックが挿通される追加ボトルネック挿通孔と、複数本セット包装されたボトルのボトルネックが挿通される受け側ボトルネック挿通孔とに独立させて設けた、請求項１記載のボトル包装具。
【請求項３】
追加ボトルネック挿通孔は縦長シート長手方向に長い長孔とした、請求項２記載のボトル包装具。  
【請求項４】
シートの追加ボトルの底面に当接する部分と前面に当接する部部分及び背面に当接する部分との境界部分にはそれぞれ追加ボトル底部の位置を決めるための位置決め溝が設けられた、請求項１ないし３の何れか記載のボトル包装具。
【考案の詳細な説明】
【技術分野】
【０００１】
この考案は、複数本セット包装されたボトルの側方に追加的に１本のボトルを包装するためのボトル包装具に関するものである。
【背景技術】
【０００２】
従来より、ボトル入り飲料等の販売促進のために、店頭に並んでいるボトル入り飲料の容器に消費者の関心を誘う景品等をおまけとして付けて商品販売を行う場合がある。
一般的に、景品には販売したい商品とは異なるもの（例えば、キーホルダーや小型の玩具など）を採用する場合が多く、これら景品は袋などで簡易包装された上でボトル飲料のボトルネック等にぶら下げる等して取り付けられている。
【特許文献１】特開２００２−３３２０４５号公報
【特許文献２】特開２００６−２７６８８８号公報
【０００３】
また、同じくボトル入り飲料等の販売促進のために、販売商品とは異なる景品ではなく、ボトル入り飲料そのものを景品として商品購入者に与えるという方法を採用するキャンペーンもあるが、かかる場合には購入商品と同じ商品を景品とするために、前述の景品のように簡単に販売商品に取り付けることが容易ではなく、会計の際に店員が景品としてのボトル入り飲料を手渡し等により購入者に渡す必要があり、店員の負担となるばかりか景品を渡すのを忘れてしまうおそれもある。
【０００４】
他方、販売商品であるボトル入り飲料を景品とする場合には、景品単価が高くなるため、例えば１／２ダース（６本）や１ダース（１２本）につき１本というように、所定本数以上の購入者に対象を限定してキャンペーンを行うのが通常である。
【０００５】
この点、ボトル入り飲料においては１／２ダース（６本）や１ダース（１２本）単位で各種包装具によって包装されて販売されている実情があるものの、これに追加的に１本のボトル入り飲料を景品として後付包装するための包装具は存在しない。
【考案の開示】
【考案が解決しようとする課題】
【０００６】
この考案は、複数本セット包装されたボトルの側方に追加的に１本のボトルを包装するためのボトル包装具を得ることを課題とするものである。
【課題を解決するための手段】
【０００７】
この考案のボトル包装具は、複数本セット包装されたボトルの側方に１本のボトルを追加して包装するためのボトル包装具であって、前記追加するボトルをくるむことのできる縦長シートの一側に前記複数本セット包装されたボトルのボトルネックに挿通される基側ボトルネック挿通孔が設けられ、他側に他側ボトルネック挿通孔が設けられ、前記他側ボトルネック挿通孔に、追加するボトルのボトルネックと複数本セット包装されたボトルのボトルネックとが挿通されるものとして構成する。
【０００８】
この考案において、ボトルとは容器上部が容器本体よりも径の小さい筒状に形成された容器をいい、内容物を販売するための容器であれば、その用途及び材質は問わない。
複数本セット包装されたボトルとは、公知の包装具によって複数のボトルが一体的に包装されたものをいい、例えば、ボトルが横３列×縦２列のように配置された状態で一体的に包装されたものが一般的であるが、一体的に包装されていればその配置状態や一体化するための包装手段は問わない。
複数本セット包装されたボトルの側方に追加的に包装される１本のボトルは、複数本セット包装されたボトルと同サイズのボトル、若しくは、これより小さいサイズのボトルであることが好ましい。
また、この考案のボトル包装具を構成する縦長のシートは、可撓性のある柔軟な合成樹脂で構成するのが好ましい。
【０００９】
基側ボトルネックの挿通孔は、ボトル包装具をセット包装されたボトルと連結するためのものである。したがって、前記挿通孔はセット包装されたボトルの少なくとも１本のボトルネックが挿通するものであればよい。しかし、安定性を考慮すると、複数のボトルネックが挿通しえる構成が好ましい。そして、複数のボトルネックが挿通しえる構成とする場合、複数のボトルネックが挿通できるような大きな挿通孔を１つ設ける態様と、１本のボトルネックが挿通する位置、大きさの挿通孔を複数設ける態様とが考えられる。後者の場合、前者と比較して挿通孔の総面積が小さくなるので、ボトル包装具の強度を高めることができる。
【００１０】
他側ボトルネック挿通孔は、追加するボトルのボトルネックとセット包装されたボトルの少なくとも１本のボトルネックが挿通し、もって追加するボトルをセット包装されたボトルに固定するためのものである。したがって、前記挿通孔は追加するボトルのボトルネックとセット包装されたボトルの少なくとも１本のボトルネックが挿通するものであればよい。しかし、安定性を考慮すると、セット包装された複数のボトルネックが挿通しえる構成が好ましい。そして、追加するボトルのボトルネックとセット包装されたボトルのボトルネックが挿通しえる構成とする場合、両者のボトルネックが挿通できるような大きな挿通孔を１つ設ける態様と、１本のボトルネックが挿通する位置、大きさの挿通孔を複数設ける態様とが考えられる。後者の場合、前者と比較して挿通孔の総面積が小さくなるので、ボトル包装具の強度を高めることができる。
【００１１】
追加ボトルネック挿通孔は、追加するボトルのキャップを通過できる径で形成されていればよく、その形状は丸孔、角孔その他適宜採用することができる。
追加ボトルネック挿通孔を縦長シートの長手方向に長い孔にしておくと、追加するボトルのボトルネックをこの追加ボトルネック挿通孔に挿通させつつ受け側ボトルネック挿通孔を複数本セット包装されたボトル容器のボトルネックに挿脱する際に、追加ボトルネック挿通孔が追加ボトルのボトルネックに引っかかりにくいので、容易に挿脱することができる（請求項３）。
【００１２】
追加ボトルの背面が当接する部分、底面が当接する部分、前面が当接する部分の寸法は追加するボトルのサイズに合わせて適宜選択される。
追加ボトルの底面が当接する部分と前面が当接する部分及び背面が当接する部分との境界部分にそれぞれ追加ボトル底部の位置を決めるための位置決め溝を設けておくと、ボトルを前記底面当接部分に載置する際に容易に位置決めすることができ、また、追加ボトルを保持する際にボトル底面部が前記位置決め溝に係止され、ボトルの保持状態をより安定させることができる（請求項４）。
【考案の効果】
【００１３】
この考案によれば、追加するボトルをくるむことのできる縦長シートの一側に複数本セット包装されたボトルのボトルネックに挿通される基側ボトルネック挿通孔が設けられ、他側に追加するボトルのボトルネックと複数本セット包装されたボトルのボトルネックとが挿通される他側ボトルネック挿通孔を設けたので、基側ボトルネック挿通孔を複数本セット包装されたボトルのボトルネックに挿通させ、追加するボトルをシートでくるみつつ、他側ボトルネック挿通孔に追加ボトルのボトルネック及び複数本セット包装されたボトルのボトルネックに挿通させて、１本のボトルを追加して包装することができる。
【００１４】
請求項２の考案によれば、他側ボトルネック挿通孔は、追加するボトルのボトルネックが挿通される追加ボトルネック挿通孔と、複数本セット包装されたボトルのボトルネックが挿通される受け側ボトルネック挿通孔とに独立させて設けたので、他側ボトルネック挿通孔の面積を可及的に小さくすることができ、それによりボトル包装具の他側ボトルネック挿通孔近傍の強度を高めて追加ボトルを安定よく保持することができる。
【００１５】
請求項３の考案によれば、追加ボトルネック挿通孔を縦長シートの長手方向に長い孔にしてあるので、追加ボトルのボトルネックをこの追加ボトルネック挿通孔に挿通させる際に、追加ボトルが引っかかることなく容易に挿脱作業を行うことができる。
【００１６】
請求項４の考案によれば、シートの追加ボトルの底面が当接する部分と前面が当接する部分及び背面が当接する部分との境界部分に、それぞれ追加ボトル底部の位置を決めるための位置決め溝を設けたので、ボトルを前記底面当接部分に載置する際に容易に位置決めすることができる。また、追加ボトルの保持状態においてはボトルの底面部が前記位置決め孔に係止されるので、追加ボトルを安定よく保持することができる。
【考案を実施するための最良の形態】
【００１７】
以下、この考案の実施例を説明する。
【実施例１】
【００１８】
図１は、この考案の第１の実施例を展開した状態の平面図である。
この考案のボトル包装具は可撓性を有する縦長の合成樹脂製シートからなり、追加ボトル保持部１の両端部にはボトルネック係止部２ａ，２ｂが設けられている。
【００１９】
追加ボトル保持部１は、ボトルネック係止部２ａ側からボトルネック係止部２ｂ側にかけて順に、追加ボトルの背面当接部１１、底面当接部１２、前面当接部１３、上面当接部１４とで構成され、上面当接部１４の略中心付近には追加ボトル容器保持部１の長手方向に長い長孔からなる追加ボトルネック挿通孔１４ｂが形成されている。また、このボトルネック挿通孔１４ｂの短手方向の径は追加するボトル容器のボトルネックの挿脱が容易に行える程度の径としてある。
また、追加ボトルの底面当接部１２と背面当接部１１及び前面当接部１３との境界部分には、それぞれ追加ボトル底部の位置を決めるための位置決め孔１２ａ，１２ｂが、追加ボトル保持部１の長手方向に直交する方向に細長い長孔として設けられている。
図中符号１３ｂは広告表示である。この広告表示は前面当接部１３の全面あるいは一部に直接印刷したものとしてもよいし、シール等を貼付したものとしてもよい。
【００２０】
ボトルネック係止部２ａには円形の基側ボトルネック挿通孔２１ａが、ボトルネック係止部２ｂには同じく円形の受け側ボトルネック挿通孔２１ｂが、それぞれ３個ずつ追加ボトル保持部１の長手方向と直交する方向に所定間隔を介して形成されている。
ここで、基側ボトルネック挿通孔２１ａ及び受け側ボトルネック挿通孔２１ｂにおける隣接する孔との所定間隔は、複数個セット包装されたボトルの隣接するボトルネック間の間隔によって定まるものである。
また、基側、受け側の各ボトルネック挿通孔の縁部には放射状に短スリット２ｓが形成されている。この短スリット２ｓによって、各ボトルネック挿通孔をボトル容器３のボトルネックに挿通させたとき、各ボトルネック挿通孔の周縁部がボトルネックの肩部に沿うように反り上がって面接触状態になるので、各ボトルネック係止部によるボトル容器３への係止状態をより安定させることができる。
なお、この実施例においては、追加ボトルネック挿通孔１４ｂと受け側ボトルネック挿通孔２１ｂとを合わせて他側ボトルネック挿通孔２４ｂが構成されている。
【００２１】
図２は、第１の実施例の使用方法を示す図である。
６本のボトル３が横３列×縦２列に配置され、公知の包装具４によってひとまとまりになるように一体的に包装されている。このとき、複数のボトル３のボトルネック部分は外部に露出されている。
この複数本セット包装されたボトルの側方に、この考案のボトル包装具を用いて追加的に１本のボトル容器を包装する方法を以下に説明する。なお、この実施例においては、複数本セット包装されたボトルと、追加的に包装するボトルとは同じサイズのボトルとする。
【００２２】
まず、ボトル包装具のボトルネック係止部２ａに形成された基側ボトルネック挿通孔２１ａをそれぞれ対応するボトル３のボトルネック部に通してボトルネック係止部２ａを複数のボトル３に係止させる。
【００２３】
次いで、追加ボトル保持部１の背面当接部１１を真ん中のボトル３に沿わせながら垂下させ、追加ボトル底部位置決め溝１２ａの位置で前方（ボトル３側とは反対側）に折り曲げる。この状態で、追加するボトル５を追加ボトル底面当接部１２に載置する。このとき、追加ボトルの底部を位置決め溝１２ａ及び１２ｂに係止させることで容易に追加ボトルの位置を決めることができる。
【００２４】
追加ボトルの位置が決まったら位置決め孔１２ｂの位置で前面当接部１３を上方に折り曲げて追加ボトル５に沿わせる。
そして、上面当接部１４に形成された追加ボトルネック挿通孔１４ｂをボトル５のボトルネック部に通し、最後にボトルネック係止部２ｂに形成された受け側ボトルネック挿通孔２１ｂを、それぞれ対応するボトル３のボトルネック部に通してボトルネック係止部２ｂを複数のボトルに係止させる（図３参照）。
このとき、ボトルネック挿通孔１４ｂは追加ボトル保持部１の長手方向に長い長孔として形成されているので、ボトル５のボトルネックを斜め方向から挿脱する際にボトルネック挿通孔１４ｂの縁部に引っかかることがなく、容易に作業を行うことができる。
そして、追加ボトル５は、ボトルネック係止部２に形成された各ボトルネック挿通孔２１ａ及び２１ｂをそれぞれ対応するボトル３のボトルネックに係止させてボトルネック係止部２の強度が強い状態で保持されているので、安定した保持状態を得ることができる。
また、追加ボトル前面当接部１３には広告が表示されているので（１３ｂ）、需要者に対して、例えば当該ボトル入り飲料を６本購入すれば一本おまけとして付いてくる旨のキャンペーン告示などを行って販売促進を図ることができる。
【００２５】
この実施例は、横方向に３本以上セット包装されているボトルのうちの隣接する３本のボトルを用いてその側方に追加ボトルを包装する場合に好適である。
【実施例２】
【００２６】
図４は、この考案の第２の実施例を展開した状態の平面図である。
この実施例は、ボトルネック係止部２ａ，２ｂの横幅が実施例１のボトルネック係止部の横幅よりも小さく形成され、それぞれ各ボトルネック挿通孔２１ａ，２１ｂが２個ずつ設けられている点以外は、実施例１と同じ構成である。
【００２７】
この実施例は、図５に示すように、横方向に２本以上セット包装されているボトルのうち隣接する２本のボトルを用いてその側方に追加ボトルを包装する場合に好適である。
この実施例の場合、追加ボトル５を、ボトルネック係止部２に形成された２個のボトルネック挿通孔２１ａ及び２１ｂをそれぞれ対応するボトル容器３のボトルネックに係止させて保持するだけでなく、隣接するボトル３の間の凹み部に嵌め込むようにしてこれを保持する形とすることができるので、より安定した保持状態を得ることができる。
【実施例３】
【００２８】
図６は、この考案の第３の実施例の使用状態を示す図である。
この実施例は、複数本セット包装されたボトルより小さいサイズのボトルを追加的に包装する場合の実施例である。
すなわち、追加ボトル保持部１の寸法を追加するボトル５のサイズに合わせて小さくした以外は、実施例１の構成と同じである。
この実施例では、図６に示すように、追加されるボトル５は宙づり状態で保持されることとなる。
また、この実施例の他の形態においては、追加ボトル保持部１の寸法以外の構成部分に実施例２の構成を採用することもできる。
【実施例４】
【００２９】
図７は、この考案の第４の実施例を示す図である。
この実施例は、第１の実施例における追加ボトルネック挿通孔１４ｂと複数の受け側ボトルネック挿通孔２１ｂとを一つの他側ボトルネック挿通孔２４ｂとして構成したものであり、その他の構成は第１の実施例と同じ構成である。
【実施例５】
【００３０】
図８は、この考案の第５の実施例を示す図である。
この実施例は、第１の実施例における複数の受け側ボトルネック挿通孔２１ｂを一つの受け側ボトルネック挿通孔２１ｂとして構成したものであり、その他の構成は第１の実施例と同じ構成である。
【産業上の利用可能性】
【００３１】
この考案は、複数本セット包装されたボトルの側方に１本のボトルを追加して包装するためのボトル包装具に関するものであって、産業上の利用可能性を有するものである。
【図面の簡単な説明】
【００３２】
【図１】この考案の第１の実施例を展開した状態の平面図
【図２】同じく使用方法を示す図
【図３】同じく使用状態を示す図
【図４】この考案の第２の実施例を展開した状態の平面図
【図５】同じく使用状態を示す図
【図６】この考案の第３の実施例の使用状態を示す図
【図７】この考案の第４の実施例の使用状態を示す図
【図８】この考案の第５の実施例の使用状態を示す図
【符号の説明】
【００３３】
１    追加ボトル保持部
１１  背面当接部
１２  底面当接部
１２ａ，１２ｂ  位置決め溝
１３  前面当接部
１３ｂ  広告表示部
１４  上面当接部
１４ｂ  ボトルネック挿通孔
２ａ，２ｂ  ボトルネック係止部
２１ａ    基側ボトルネック挿通孔
２１ｂ    受け側ボトルネック挿通孔
２４ｂ    他側ボトルネック挿通孔
２ｓ  短スリット
３    ボトル
４    公知の包装具
５    追加ボトル
【図１】
0003148580.tif 000003
【図２】
0003148580.tif 000004
【図３】
0003148580.tif 000005
【図４】
0003148580.tif 000006
【図５】
0003148580.tif 000007
【図６】
0003148580.tif 000008
【図７】
0003148580.tif 000009
【図８】
0003148580.tif 000010